(57)【要約】【課題】  水洗いしてリサイクル可能なので半永久的に使える真空掃除機用フィルタ組立体を提供する。【解決手段】  所定サイズの保管空間及び上部開放部を有するダストカップ１１０と、ダストカップ１１０の上部外側縁に備えられる傾斜ガイド１１４と、外気を吸い込むための通孔１２１ａを有しダストカップ１１０の上部開放部１１０ａを覆うよう設けられるカバー１２０と、カバー１２０の縁部１２３の外側に摺動自在に設けられその一側にカバー１２０の内側に突出される突起部１２８ｂを備え、突起部１２８ｂが傾斜ガイド１１４に接して摺動されることによってカバー１２０をダストカップ１１０側に密着させる固定レバー１２８と、ダストカップ１１０の壁面１１１の一部が開放され形成されたフィルタ装着部１１２に着脱自在に設けられるフィルタ１３０とを含む。【選択図】      図２ 
2004209222.tif 000002
【特許請求の範囲】
【請求項１】
一定サイズの保管空間及び上部開放部を有するダストカップと、
該ダストカップの上部外側縁に備えられる傾斜ガイドと、
外気を吸い込むための通孔を有し、前記ダストカップの上部開放部を覆うよう設けられるカバーと、
該カバーの縁部外側に摺動自在に設けられ、その一側に前記カバーの内側に突出される突起部を備え、該突起部が前記傾斜ガイドに接して摺動されることによって前記カバーを前記ダストカップ側に密着させる固定レバーと、
前記ダストカップの壁面一部が開放され形成されたフィルタ装着部に着脱自在に設けられるフィルタとを備えることを特徴とする真空掃除機用フィルタ組立体。
【請求項２】
前記傾斜ガイドの一側には前記固定レバーの突起部が滑ることを防止するための離脱防止爪が備えられることを特徴とする請求項１に記載の真空掃除機用フィルタ組立体。
【請求項３】
前記カバーの内側面には、前記通孔に吸い込まれて前記フィルタを通して抜け出る吸込空気の流速を低減するための遮蔽リブが設けられることを特徴とする請求項１に記載の真空掃除機用フィルタ組立体。
【請求項４】
前記ダストカップの底面には、前記ダストカップに流入された異物が前記フィルタ側に吸い込まれることを抑えるための遮蔽壁が設けられることを特徴とする請求項１に記載の真空掃除機用フィルタ組立体。
【請求項５】
前記フィルタを収容するための収容部が設けられ、前記開放部に密着されるよう設けられるフィルタ固定具と、
前記収容部に挿入されたフィルタが離脱することを防ぐために前記収容部に押し込まれるよう設けられるグリル部材とを含むことを特徴とする請求項１に記載の真空掃除機用フィルタ組立体。
【請求項６】
前記フィルタ固定具の一側には、前記フィルタ装着部の一側に形成される溝部に結合されるフックが備えられることを特徴とする請求項５に記載の真空掃除機用フィルタ組立体。
【請求項７】
前記カバーとダストカップとの間にはシール部材が介在されることを特徴とする請求項１に記載の真空掃除機用フィルタ組立体。
【請求項８】
前記カバーの縁部には、前記固定レバーの移動をガイドするためのガイド手段が備えられることを特徴とする請求項１に記載の真空掃除機用フィルタ組立体。
【請求項９】
前記ガイド手段は、
前記カバーの縁部内側面に設けられるレバーガイドと、
前記固定レバーに形成されるガイド溝に挿入されるよう前記レバーガイドに備えられるガイドレールとを含むことを特徴とする請求項８に記載の真空掃除機用フィルタ組立体。
【発明の詳細な説明】
【技術分野】
【０００１】
本発明は真空掃除機に係り、さらに詳しくは水洗いしてリサイクル可能なので半永久的に使える真空掃除機用フィルタ組立体に関する。
【背景技術】
【０００２】
一般に、真空掃除機は掃除機本体に設けられた真空モータの駆動によって発生する吸込力を用いて掃除面のゴミやホコリを掃除機本体内の集塵室に吸い込んで除去する装置であって、集塵室にはゴミやホコリを濾し出すためのダストバッグが装着される。
【０００３】
真空モータの駆動によって集塵室内に吸込力が発生すれば、外気が掃除面のゴミやホコリと共にダストバッグ内に吸い込まれる。そして、吸い込まれたゴミやホコリはダストバッグ内に溜まり、浄化された空気はダストバッグを抜け出てから掃除機本体の外部に排出される。ダストバッグ内にゴミやホコリが一杯になって掃除機の吸込力が低下すれば、ダストバッグは集塵室から取り出された後廃棄される。
【０００４】
このような使い捨てダストバッグの使用は掃除機のメンテナンス費用をアップさせる要因になるため、近来は水洗いしてリサイクル可能な永久フィルタが開発されている。このような半永久的に使用できるフィルタの一例として、図１には本出願人によって先出願された(韓国出願番号:１０−２００２−００６８１０３、出願日:２００２年１１月５日)真空掃除機用フィルタ及びこれを採用した真空掃除機が示されている。
【０００５】
図１に示されている通り、先願の真空掃除機用フィルタ２０は、内部に所定サイズの保管空間を有する円筒形のフィルタボディ２１と、フィルタボディ２１の周縁の全般にわたって備えられているフィルタ部材２２と、フィルタボディ２１の上部の開放部２１ａを開閉するためのカバー２３を含む。そして、カバー２３には取手２４が設けられている。また、フィルタボディ２１の上部外周面には外径ネジ部２１ｂが形成されており、カバー２３の周縁の内周面にはこの外径ネジ部２１ｂに対応する内径ネジ部が形成されていて、カバー２３とフィルタボディ２１は螺旋に結合される。
【０００６】
このような真空掃除機用のフィルタ２０はカバー２３とフィルタボディ２１が結合されたまま掃除機本体１０の集塵室１０ａに装着され、この際カバー２３の上部に形成されている通孔２３ａは掃除機本体１０の吸込孔１０ｂと連結される。従って、吸込孔１０ｂを通して吸い込まれる外気は通孔２３ａを通してフィルタボディ２１の内部に流入される。そして、吸い込まれた空気中に含まれているゴミやホコリはフィルタボディ２１内に溜まり、浄化された空気は多孔性材質のフィルタ部材２２を通過してフィルタボディ２１の外部に抜け出た後、掃除機本体１０の外部に排出される。
【０００７】
しかし、前述したような真空掃除機用フィルタ２０は、カバー２３がフィルタボディ２１の上部開放部２１ａを完全に密閉させるために、カバー２３の内径ネジ部とフィルタボディ２１の外径ネジ部２１ｂの接触長さを延すべきである。従って、使用者がカバー２３をフィルタボディ２１に結合させたりカバー２３をフィルタボディ２１から取外す時、カバー２３を何回も回すべきなので使い勝手が良くない。
【０００８】
また、フィルタボディ２１に流入されるゴミやホコリがいずれの妨害なしにフィルタボディ２１の周縁の全般にかけて備えられているフィルタ部材２２に深いところまで付着するので、フィルタ部材２２を含んだフィルタボディ２１からホコリやゴミの取り出しが難しくなる。
【発明の開示】
【発明が解決しようとする課題】
【０００９】
本発明は前述したような問題点を解決するために案出されたもので、その目的はカバーをフィルタボディに結合し易く、ゴミやホコリ除去作業を容易に行える真空掃除機用フィルタ組立体を提供することにある。
【課題を解決するための手段】
【００１０】
前述した目的を達成するための本発明に係る真空掃除機用フィルタ組立体は、所定サイズの保管空間及び上部開放部を有するダストカップと、該ダストカップの上部外側周縁に備えられる傾斜ガイドと、外気を吸い込むための通孔を有し、前記ダストカップの上部開放部を覆うよう設けられるカバーと、該カバーの縁部外側に摺動自在に設けられ、その一側に前記カバーの内側に突出される突起部を備え、該突起部が前記傾斜ガイドに接して摺動されることによって前記カバーを前記ダストカップ側に密着させる固定レバー、及び前記ダストカップの壁面一部が開放され形成されたフィルタ装着部に着脱自在に設けられるフィルタを含むことを特徴とする。
【００１１】
前述したような構成を有する本発明において、前記傾斜ガイドの一側には前記固定レバーの突起部が滑ることを防ぐための離脱防止爪が備えられるのが望ましい。
【００１２】
そして、前記カバーの内側面には、前記通孔に吸い込まれて前記フィルタを通して抜け出る吸込空気の流速を低減するために遮蔽リブが設けられるのが良い。
【００１３】
また、前記ダストカップの底面には前記ダストカップに流入された異物が前記フィルタ側に吸い込まれることを抑えるための遮蔽壁が設けられることが望ましい。
【００１４】
そして、本発明に係る真空掃除機用フィルタ組立体は、前記フィルタを収容するための収容部が設けられ、前記フィルタ装着部に密着されるよう設けられるフィルタ固定具、及び前記収容部に挿入されたフィルタが離脱することを防ぐために前記収容部に押し込まれるよう設けられるグリル部材を含むことが良く、前記フィルタ固定具の一側には前記フィルタ装着部の一側に形成される溝部に結合されるフックが備えられることが望ましい。
【００１５】
また、前記カバーとダストカップとの間にはシール部材が介在されるのが良い。
【００１６】
そして、前記カバーの周縁には前記固定レバーの移動をガイドするためのガイド手段が備えられることが望ましく、前記ガイド手段は、前記カバーの縁部内側面に形成されるレバーガイド、及び前記固定レバーに形成されるガイド溝に挿入されるよう前記レバーガイドに備えられるガイドレールを含むことが望ましい。
【発明の効果】
【００１７】
本発明によればダストカップに備えられる傾斜ガイドと該傾斜ガイドに接して摺動するようカバーに設けられる固定レバーを用いてカバーをダストカップに容易に密着させうる。
【００１８】
また本発明によれば、カバーに備えられた遮蔽リブ及びダストカップの底面に設けられた遮蔽壁が空気と共にダストカップの内部に吸い込まれるゴミやホコリが直接フィルタ側に流動できないようその流動方向を変えるので、フィルタについているゴミやホコリの量を減らせ、ゴミやホコリが容易にフィルタの深いところまで吸い込まれない。従って、フィルタに対する掃除周期及びフィルタの寿命が延びる効果がある。
【００１９】
また、本発明によれば、フィルタをダストカップから手軽く取外せるので、フィルタについているゴミやホコリを拭き取りやすい。
【発明を実施するための最良の形態】
【００２０】
以下、添付した図面に基づき本発明の望ましい実施形態による真空掃除機用フィルタ組立体について説明する。
【００２１】
図２に示した通り、本発明に係る真空掃除機用フィルタ組立体１００はダストカップ１１０と、カバー１２０と、フィルタ１３０とを含む。
【００２２】
ダストカップ１１０は、上部が開放された円筒形よりなっており、壁面１１１の一部が開放され形成されたフィルタ装着部１１２を備える。フィルタ装着部１１２の下部面には固定溝１１２ｂの形成された溝部１１２ａが備えられ、その上部面には結合溝(図示せず)が形成される。また、ダストカップ１１０の上部側縁部１１３には一対の傾斜ガイド１１４が左右対称をなすよう備えられる。傾斜ガイド１１４は所定サイズの傾斜角を有するよう傾斜した傾斜面１１４ａ(図４Ａ参照)を有し、この傾斜面１１４ａ上には離脱防止爪１１４ｂ(図４Ａ参照)が備えられる。そして、ダストカップ１１０の内部の底面１１５にはダストカップ１１０の内部に集塵されたゴミやホコリが真空掃除機の駆動時吸込力によってフィルタ装着部１１２側に吸い込まれることを抑えさせるために遮蔽壁１１６が備えられる。遮蔽壁１１６はダストカップ１１０の一側内壁面１１１ａと向かい側の内壁面１１１ａとの間を横切る円弧状に備えられる。また、ダストカップ１１０の下部面には複数の脚１１７が設けられ、ダストカップ１１０が集塵室３０ａ(図５参照)に装着される際集塵室３０ａの底面からダストカップ１１０を所定間隔に離隔させる。
【００２３】
カバー１２０は、ダストカップ１１０の上部開放部１１０ａを開閉させるためのもので、その一部が内側面１２０ａ側に陥没される陥没部１２１を有する。この陥没部１２１は、ダストカップ１１０のフィルタ装着部１１２方向に傾くよう形成され、陥没部１２１の端部には外気を吸い込むための通孔１２１ａが形成される。
【００２４】
そして、カバー１２０の内側面１２０ａには通孔１２１ａと連結される連結孔１２４ａの形成された遮蔽リブ結合部材１２４が設けられる。この遮蔽リブ結合部材１２４の連結孔１２４ａの周縁には円弧の断面形状を有する遮蔽リブ１２５が備えられる。遮蔽リブ１２５は通孔１２１ａを通して吸い込まれる吸込空気の流速を低減させるためのもので、所定サイズの高さを持って下部方向に延びるよう形成される。遮蔽リブ結合部材１２４は、複数の挿入孔１２４ｂを有し、挿入孔１２４ｂがカバー１２０の内側面１２０ａに備えられた複数の固定突起１２２に押し込まれることによって、遮蔽リブ結合部材１２４はカバー１２０の内側面に固定される。
【００２５】
また、カバー１２０の内側面１２０ａの周縁には、挿入溝部１２６が縁部１２３の内周面に沿って形成され、挿入溝部１２６には環状のレバーガイド１２７が設けられる。示されていないが、レバーガイド１２７は接着剤やボルトなど別の締結手段によってカバー１２０から取外されないよう固定できる。このレバーガイド１２７の縁部にはダストカップ１１０の傾斜ガイド１１４に対応する一対の固定レバー１２８が互いに対称に備えられる。この固定レバー１２８は使用者の操作のためのボタン部１２８ａと傾斜ガイド１１４に接して摺動される突起部１２８ｂを備え、ボタン部１２８ａと突起部１２８ｂとの間にはガイド溝１２８cが形成される。固定レバー１２８は、レバーガイド１２７の下部端部に備えられるガイドレール１２７ａにそのガイド溝１２８ｃが挿入される形態に、ガイドレール１２７ａに沿って摺動自在に設けられる。ここで、ボタン部１２８ａとレバーガイド１２７の外側面との間には所定サイズの間隙ｃが形成され、レバーガイド１２７はカバー１２０の縁部１２３が間隙ｃに挿入される形態でカバー１２０の内側に設けられる。従って、固定レバー１２８のボタン部１２８ａはカバー１２０の縁部１２３の外側に置かれ、固定レバー１２８の突起部１２８ｂはカバー１２０の内側に置かれる。
【００２６】
また、カバー１２０の内側面１２０ａにはダストカップ１１０とカバー１２０との間を密封するためのシール部材１２９が設けられる。
【００２７】
フィルタ１３０は、ダストカップ１１０に吸込空気と共に吸い込まれたホコリやゴミを濾し出すためのもので、望ましくは高効率フィルタ(HEPＡ  Filter)が使用される。フィルタ１３０はフィルタ固定具１３１及びグリル部材１３２と共に一つの組立体をなしてフィルタ装着部１１２に着脱自在に設けられる。フィルタ固定具１３１は、内側にフィルタ１３０を収容するための収容部１３１ａを備え、上部にはフィルタ装着部１１２の結合溝に対応する結合突起１３３が備えられる。そして、フィルタ固定具１３１の下部にはフィルタ装着部１１２の固定溝１１２ｂに挿入される突起１３４ａ(図５参照)を有するフック１３４が備えられる。フック１３４は一端部がフィルタ固定具１３１の下部に結合され、固定された一端部から折曲延長された他端部は上下方向に所定間隔に流動可能なように備えられる。グリル部材１３２は、フィルタ１３０がフィルタ固定具１３１の収容部１３１ａに挿入されたまま収容部１３１ａに押し込まれることによって、フィルタ１３０が収容部１３１ａから離脱されることを防ぐ。
【００２８】
以下、図３ないし図５に基づき本発明の望ましい実施形態による真空掃除機用フィルタ組立体１００の作用を説明する。
【００２９】
カバー１２０をダストカップ１１０の上部開放部１１０ａを覆うよう設けた後、固定レバー１２８のボタン部１２８ａ（図２参照）を図３に示した矢印方向に約３０°移動させれば、固定レバー１２８の突起部１２８ｂ（図２参照）が傾斜ガイド１１４の傾斜面１１４ａに接して移動する。この際、固定レバー１２８の突起部１２８ｂは図４Ａに示されているような結合解除状態から図４Ｂに示されているような結合状態に転換され、カバー１２０はダストカップ１１０側に加圧されながらダストカップ１１０に密着される。そして、カバー１２０のシール部材１２９は、ダストカップ１１０の上部側端部と接して変形されながらカバー１２０とダストカップ１１０との間は間隙が発生されず完全に密閉される。
【００３０】
このようにカバー１２０とダストカップ１１０が結合された状態でフィルタ組立体１００はカバー１２０の通孔１２１ａと真空掃除機の吸込パイプ３１が連結されるよう真空掃除機の集塵室３０ａに装着される。そして、真空掃除機の吸引モータが作動レバー、吸込パイプ３１を通して吸い込まれる外気は通孔１２１ａを通してダストカップ１１０の内部に吸い込まれる。この際、通孔１２１ａを通して吸い込まれる外気は遮蔽リブ１２５にぶつかってその流動方向がダストカップ１１０の底面１１５に向かうよう曲がりながら流速が低減される。かつ、外気中に含まれているゴミやホコリの一部はダストカップ１１０の底面１１５に落ちる。そして、ダストカップ１１０の底面１１５に向かって流入される外気はダストカップ１１０の内部の遮蔽壁１１６にぶつかった後、フィルタ１３０側に吸い込まれる。ここで、ダストカップ１１０の底面１１５に落ちた異物や、外気と共に通孔１２１ａを通過して直接遮蔽壁１１６にぶつかった異物は遮蔽壁１１６に塞がってフィルタ１３０側に容易に吸い込まれない。従って、フィルタ１３０に付着されるゴミやホコリの量が減少する。フィルタ１３０を通過しつつゴミやホコリが分離され浄化された空気は掃除機本体３０の外部に流出される。
【００３１】
一方、長時間の掃除作業によってフィルタ１３０にゴミやホコリが付着され真空掃除機の吸入力が低下すれば、フィルタ組立体１００を集塵室３０ａから取り出した後、固定レバー１２８を結合解除状態に移動させ、カバー１２０をダストカップ１１０から取外す。また、フィルタ固定具１３１のフック１３４を上部方向に持ち上げてフック１３４の突起１３４ａをフィルタ装着部１１２の固定溝１１２ｂから離脱させた後、フィルタ１３０が設けられているフィルタ固定具１３１をダストカップ１１０から取外す。そして、ダストカップ１１０の内部に集塵されたゴミやホコリは叩きだして取り除き、フィルタ１３０はフィルタ固定具１３１から取外してその表面にフィットされているゴミやホコリを取り除く。
【００３２】
以上、本発明を本発明の原理を例示するための望ましい実施形態について示しかつ説明したが、本発明はそのように示しかつ説明されたそのままの構成及び作用に限定されることではない。かえって、特許請求の範囲の思想及び範疇を逸脱せず本発明に対する多数の変更及び修正が可能であることを当業者らはよく理解できろう。従って、そのような全ての適切は変更及び修正と均等物も本発明の範囲に属することと見做されるべきである。
【図面の簡単な説明】
【００３３】
【図１】本出願人によって先出願された真空掃除機用フィルタ及びこれを採用した真空掃除機を示す斜視図である。
【図２】本発明の望ましい実施形態による真空掃除機用フィルタ組立体の構成を示す分解斜視図である。
【図３】図２に示した本発明の望ましい実施形態による真空掃除機用フィルタ組立体の組立完成状態図である。
【図４Ａ】図３に示した本発明の望ましい実施形態による真空掃除機用フィルタ組立体の要部動作を説明するための一部抜粋図である。
【図４Ｂ】図３に示した本発明の望ましい実施形態による真空掃除機用フィルタ組立体の要部動作を説明するための一部抜粋図である。
【図５】図３に示した本発明の望ましい実施形態による真空掃除機用フィルタ組立体の作用を説明するための断面図である。
【符号の説明】
【００３４】
３０      掃除機本体
３０ａ    集塵室
３１      吸込パイプ
１００    フィルタ組立体
１１０    ダストカップ
１１０ａ  上部開放部
１１１    壁面
１１１ａ  内壁面
１１２    フィルタ装着部
１１２ａ  溝部
１１２ｂ  固定溝
１１３    縁部
１１４    傾斜ガイド
１１５    底面
１１６    遮蔽壁
１１７    脚
１２０    カバー
１２０ａ  内側面
１２１    陥没部
１２１ａ  通孔
１２２    固定突起
１２３    縁部
１２４    遮蔽リブ結合部材
１２４ａ  連結孔
１２４ｂ  挿入孔
１２５    遮蔽リブ
１２６    挿入溝部
１２７    レバーガイド
１２７ａ  ガイドレール
１２８    固定レバー
１２８ａ  ボタン部
１２８ｂ  突起部
１２８ｃ  ガイド溝
１２９    シール部材
１３０    フィルタ
１３１    フィルタ固定具
１３２    グリル部材
１３３    結合突起
１３４    フック
１３４ａ  突起
【図１】
2004209222.tif 000003
【図２】
2004209222.tif 000004
【図３】
2004209222.tif 000005
【図４Ａ】
2004209222.tif 000006
【図４Ｂ】
2004209222.tif 000007
【図５】
2004209222.tif 000008